(57)【要約】【課題】従来の光ディスク再生装置の構成を大きく変更することなく、光ディスクの挿入状態を確実に検出することができる光ディスク再生装置を提供する。【解決手段】スロットイン方式の光ディスク再生装置において、光ディスクに記録されたデータを光学的に読み取る光ディスク読取手段と、光ディスクの外縁に押されて回動する光ディスク検出アームと、所定量回動した光ディスク検出アームとの接触を検知する第１の検知手段と、光ディスクを所定の再生位置まで搬送する光ディスク搬送装置と、光ディスクが所定の再生位置まで搬送されたことを検知する第２の検知手段と、を備える。光ディスク読取手段は、第１の検知手段が光ディスク検出アームとの接触を検知してから所定時間以内に、光ディスクが再生位置まで搬送されたことを第２の検知手段が検知しなかった場合に、レーザを照射して筐体内の光ディスクの有無を判別する。【選択図】図５
2010061737.tif 000002
【特許請求の範囲】
【請求項１】
光ディスクを挿入するための光ディスク挿入口が形成された筐体と、
前記光ディスクに記録されたデータを光学的に読み取る光ディスク読取手段と、
前記光ディスクの外縁に押されて回動し、該光ディスクの挿入路を形成する光ディスク検出アームと、
所定量回動した前記光ディスク検出アームと接触し、該光ディスク検出アームとの接触を検知する第１の検知手段と、
前記第１の検知手段が前記光ディスク検出アームとの接触を検知すると、前記光ディスクを所定の再生位置まで搬送する光ディスク搬送装置と、
前記光ディスク搬送装置により搬送された前記光ディスクが、前記所定の再生位置まで搬送されたことを検知する第２の検知手段と、を備え、
前記第１の検知手段が前記光ディスク検出アームとの接触を検知してから所定時間以内に、前記光ディスクが前記所定の再生位置まで搬送されたことを前記第２の検知手段が検知しなかった場合に、前記光ディスク読取手段はレーザを出射して前記筐体内の前記光ディスクの有無を判別することを特徴とする光ディスク再生装置。
【請求項２】
起動時に、前記光ディスク読取手段が前記光ディスクの有無を判別することを特徴とする請求項１に記載の光ディスク再生装置。
【請求項３】
前記光ディスク読取手段が前記筐体内に前記光ディスクが有ると判断すると、該光ディスクを前記筐体から排出することを特徴とする請求項１又は請求項２に記載の光ディスク再生装置。
【発明の詳細な説明】
【技術分野】
【０００１】
本発明は、光ディスク再生装置に関する。
【背景技術】
【０００２】
スロットイン方式の搬送機構を備える光ディスク再生装置では、挿入された光ディスクの寸法を判別したり、光ディスクの挿入状態を把握したりするために、様々な方式が採用されている。例えば、光ディスク収容部の各所に接触式のスイッチを配して該スイッチのオン／オフの状況から光ディスクの種類や挿入状態を判断する方法や、光センサで光ディスクを検知する方法等がある。
【０００３】
特許文献１には、機械式のスイッチと光センサとを備えた記録再生装置が開示されている。この記録再生装置は、機械式のスイッチと光センサとから出力された検出信号に基づいて光ディスクの種類を判別するとともに、光ディスクの搬送機構の動作を制御する。この記録再生装置によると、挿入された光ディスクの種類に合わせて適切な記録再生が行なえるとされている。
【０００４】
【特許文献１】特開２０００−１４９３６７号公報
【発明の開示】
【発明が解決しようとする課題】
【０００５】
ところが、一般に光センサは車内等の温度変化が著しい場所での使用には適しておらず、車載用の光ディスク再生装置に光センサを使用した場合、光ディスクを誤検出する場合があった。従来、このような光ディスクの誤検出を避けるため、機械式のスイッチを光ディスク収容部に追加配置して、光ディスクの挿入状態をより確実に検出できるように配慮されてきた。しかしながら、このような追加の部品を配することで、光ディスクを検出するための制御論理が複雑になり、また、光ディスク再生装置の製造コストもかかるという問題点があった。
【０００６】
本発明は、このような問題点を解決するためになされたものであり、従来の光ディスク再生装置の構成を大きく変更することなく、光ディスクの挿入状態を確実に検出することができる光ディスク再生装置を提供することを目的とする。
【課題を解決するための手段】
【０００７】
本発明に係る光ディスク再生装置は、光ディスクを挿入するための光ディスク挿入口が形成された筐体と、前記光ディスクに記録されたデータを光学的に読み取る光ディスク読取手段と、前記光ディスクの外縁に押されて回動し、該光ディスクの挿入路を形成する光ディスク検出アームと、所定量回動した前記光ディスク検出アームと接触し、該光ディスク検出アームとの接触を検知する第１の検知手段と、前記第１の検知手段が前記光ディスク検出アームとの接触を検知すると、前記光ディスクを所定の再生位置まで搬送する光ディスク搬送装置と、前記光ディスク搬送装置により搬送された前記光ディスクが、前記所定の再生位置まで搬送されたことを検知する第２の検知手段と、を備え、前記第１の検知手段が前記光ディスク検出アームとの接触を検知してから所定時間以内に、前記光ディスクが前記所定の再生位置まで搬送されたことを前記第２の検知手段が検知しなかった場合に、前記光ディスク読取手段はレーザを出射して前記筐体内の前記光ディスクの有無を判別することを特徴とする。
【０００８】
また、起動時に、前記光ディスク読取手段が前記光ディスクの有無を判別してもよい。
【０００９】
また、前記光ディスク読取手段が前記筐体内に前記光ディスクが有ると判断すると、該光ディスクを前記筐体から排出してもよい。
【発明の効果】
【００１０】
本発明によれば、従来の光ディスク再生装置の構成を大きく変更することなく、光ディスクの挿入状態を確実に検出することができる光ディスク再生装置が提供できる。
【発明を実施するための最良の形態】
【００１１】
以下、本発明の実施形態に係る光ディスク再生装置を、図１乃至図５を参照して説明する。図１及び図２に示した光ディスク再生装置１は、光ディスク挿入口１０ａから挿入された光ディスク２０を搬送装置を駆動してローディングする、いわゆるスロットイン方式の光ディスク再生装置である。なお、図１は、光ディスク再生装置１の各部を図示できるように、筐体１０の一部を切り欠いている。
【００１２】
図１に示すように、光ディスク再生装置１は、一方の側面に光ディスク２０を挿入するための光ディスク挿入口１０ａと、他方の側面に後述するロック部１５に形成された突起部１５ｂが挿通するスライド孔１０ｂ及びロック開放孔１０ｃとが形成された筐体１０を備えている。
また、光ディスク再生装置１は、光ディスク挿入口１０ａから挿入された光ディスク２０に押し広げられて光ディスク２０の挿入空間を形成する対の光ディスク検出アーム１１と、レーザ光源及び受光部から構成され光ディスク２０に記憶されたデータを再生するピックアップ１２と、挿入された光ディスク２０を回転させる回転駆動部１３と、筐体１０の奥部にまで挿入された光ディスク２０の外縁と接触するクランプアーム１４と、後述する第２のスイッチ１７のオン／オフを行なうロック部１５と、機械式のスイッチである第１のスイッチ１６、および第２のスイッチ１７と、ロック部１５をクランプアーム１４と第２のスイッチ１７との間を移動させる伝動ピニオン１８と、光ディスク挿入口１０ａから挿入された光ディスク２０を所定箇所まで搬送する図示しない搬送装置（搬送ローラ、ギア、モータ等）と、を筐体１０内に備えている。
【００１３】
光ディスク検出アーム１１は、対をなして光ディスク挿入口１０ａ近傍に配設されている。各光ディスク検出アーム１１は、回動する際に軸となる回動軸１１ａと、アーム部１１ｂと、光ディスク挿入口１０ａから挿入された光ディスク２０の外縁と接触する突起部１１ｃとから構成されている。回動軸１１ａは図示しないばねに接続されており、該ばねは回動軸１１ａを中心にして回動した光ディスク検出アーム１１に、元の状態（図２（ａ）に示す光ディスク検出アーム１１が光ディスク２０から力を受けていない状態）に復元する力を作用する。突起部１１ｃは、光ディスク挿入口１０ａから挿入された光ディスク２０の外縁に押される。このように光ディスク２０の外縁に突起部１１ｃが押されると、対の光ディスク検出アーム１１は突起部１１ｃ間が押し広げられて、光ディスク２０の挿入路を形成する。そして、このように押し広げられた一方の光ディスク検出アーム１１（図中左側）は、後述するように第１のスイッチ１６をオンにする。
【００１４】
ピックアップ１２は、データの再生を行なうための図示しないレーザ光源および受光部を備える。ピックアップ１２内部のレーザ光源から出射されたレーザ光は、光ディスク２０の記録面上でスポットが最小となるよう調整される。そして、記録面上で反射したレーザ光は、ピックアップ１２内部の図示しないフォトディテクタで集光され、データに変換される。また、ピックアップ１２は、レーザ光を出射、受光して光ディスク再生装置１内の光ディスク２０を検知する。これにより、何らかの原因で光ディスク再生装置１に配された各スイッチで光ディスク２０を検知することができなかった場合に、ピックアップ１２を作動させることで光ディスク２０の有無を判断することが可能となる。
【００１５】
クランプアーム１４は、回動する際に軸となる回動軸１４ａと、アーム部１４ｂとから構成されている。回動軸１４ａは図示しないばねに接続されている。該ばねは回動軸１４ａを中心にして回動したクランプアーム１４に、元の状態（図２（ａ）に示すクランプアーム１４が光ディスク２０から力を受けていない状態）に復元する力を作用する。そして、図示しない搬送装置により筐体１０の奥部まで搬送された光ディスク２０は、その外縁でクランプアーム１４の一端を押し、クランプアーム１４を回動軸を中心に回動させる。回動したクランプアーム１４はその他端でロック部１５を押して、ロック部１５を第２のスイッチ１７に向けてスライドさせる。
【００１６】
ロック部１５は、ラック（平歯車）が形成されたロック部本体１５ａと、このロック部本体１５ａから突出して形成された突起部１５ｂとから構成されている。
ロック部１５が、クランプアーム１４により押動されてスライドすると、ロック部本体１５ａに形成されたラックは後述する伝動ピニオン１８と噛み合う。そして、ロック部１５は、伝動ピニオン１８から動力を受けて第２のスイッチ１７に向けて移動し、やがて第２のスイッチ１７をオンにする。また、ロック部１５が第２のスイッチ１７をオンにした状態から、伝動ピニオン１８を前述の場合とは逆方向に回転させると、ロック部１５は第２のスイッチ１７からクランプアーム１４の方向に移動し第２のスイッチ１７をオフにする。
【００１７】
ところで図１に示すように、光ディスク２０が光ディスク再生装置１に挿入されていない場合は、ロック部１５に形成された突起部１５ｂは、筐体１０に形成されたスライド孔１０ｂに挿通された状態にある。このスライド孔１０ｂと突起部１５ｂとの図中高さ方向におけるクリアランスはほとんど設定されていないため、ピックアップ１２等の筐体１０に収容された再生ユニットは、ロック部１５を介して筐体１０に固定されることとなる。この状態から、前述したようにロック部１５が第２のスイッチ１７の方向に移動すると、突起部１５ｂは、やがてスライド孔１０ｂを抜けてロック開放孔１０ｃを挿通する位置にくる。ロック開放孔１０ｃは、図に示すようにスライド孔１０ｂと比べ図中高さ方向に大きい。そのため、突起部１５ｂがロック開放孔１０ｃ位置にくると、再生ユニットのスライド孔１０ｂによるロックが解除される。なお、再生ユニットは、図示しないダンパ及びばねで筐体１０に接続されている。すなわち、光ディスク２０が筐体１０内にない場合は、再生ユニットは筐体１０に固定された状態にあり、また、光ディスク２０が筐体１０内に挿入されると、再生ユニットは図示しないダンパ及びばねにより懸架された状態となる。
【００１８】
第１のスイッチ１６は、機械的な接触を検知するスイッチである。図２（ｂ）に示すように、挿入された光ディスク２０に押し広げられた光ディスク検出アーム１１が所定量回動すると、光ディスク検出アーム１１は第１のスイッチ１６に接触する。第１のスイッチ１６は、この光ディスク検出アーム１１の接触を検知する。このように、第１のスイッチ１６がオフからオンの状態になると、後述する制御部５０は光ディスク挿入口１０ａから光ディスク２０が挿入されたと判断し、図示しない光ディスク搬送装置を駆動する。
【００１９】
第２のスイッチ１７も、機械的な接触を検知するスイッチである。第２のスイッチ１７は、クランプアーム１４の回動をトリガとしてスライドするロック部１５の接触を検知する。そして、第２のスイッチ１７がオフからオンの状態になると、後述する制御部５０は光ディスク２０が筐体１０内の所定の再生位置まで搬送されてきたと判断する。
【００２０】
ここで、光ディスク２０の挿入状況と各スイッチのオン／オフとの関係について説明する。図４は、各スイッチのオン／オフの状態を、横軸に時間をとって示した図である。ここで、図に示したａ〜ｄで示した範囲は、図２（ａ）〜図２（ｄ）におけるスイッチの状況と対応させている。
【００２１】
例えば、図２（ａ）は、光ディスク２０が光ディスク再生装置１内にない状態であるため、図４のａの範囲に示すように、第１のスイッチ１６及び第２のスイッチ１７はオフとなる。
【００２２】
また、図２（ｂ）は、挿入された光ディスク２０が光ディスク検出アーム１１を押し広げ、押し広げられた光ディスク検出アーム１１が第１のスイッチ１６に接触している状況を示している。すなわち、図４のｂの範囲は、第１のスイッチ１６のスイッチがオンの状態であり、第２のスイッチ１７はオフの状態となる。
【００２３】
また、図２（ｃ）は、光ディスク２０が図示しない搬送装置で筐体１０の奥まで搬送され、光ディスク２０の外縁がクランプアーム１４に接触している状況を示している。この際、光ディスク検出アーム１１は、前述したばねの力により図２（ａ）に示した光ディスク検出アーム１１の状態に復帰している。そのため、図４のｃの範囲に示すように、第１のスイッチ１６はオフの状態であり、また、ロック部１５は第２のスイッチ１７に接触していないため、第２のスイッチ１７はオフの状態が継続する。
【００２４】
また、図２（ｄ）は、光ディスク２０が所定位置まで搬送され、ロック部１５が第２のスイッチ１７をオンにしている状況を示している。この状況は図４のｄの範囲に示すように、第１のスイッチ１６はオフの状態、第２のスイッチ１７はオンの状態となる。
【００２５】
ここで、図２（ａ）は光ディスク２０が光ディスク再生装置１内にない状態、図２（ｃ）は光ディスク２０が光ディスク再生装置１内にある状態であるが、これらの状態と対応する図４のａ及びｃの範囲に示す通り、第１のスイッチ１６と第２のスイッチ１７とはオフの状態にある。
前述したように、光ディスク２０が挿入されたにも関わらず、なんらかの原因でスライドしたロック部１５が第２のスイッチ１７をオンにしなかった場合、第１のスイッチ１６と第２のスイッチ１７とはオフの状態となる。この場合、各スイッチのオン／オフの状態では、図２（ａ）に示す光ディスク２０が挿入されていない状態と区別できず、光ディスク２０の挿入状況を判別することができない。そこで、光ディスク２０が挿入されたと判断したにもかかわらず第２のスイッチ１７の反応がない場合には、ピックアップ１２からレーザ光を照射して、挿入された光ディスク２０が光ディスク再生装置１内にあるかどうかを判断する。
【００２６】
図３は、本発明の実施形態に係る光ディスク再生装置の制御系の構成図を示している。制御部５０は、例えば、ＣＰＵ（Central Processing Unit：中央演算処理装置）、ＲＯＭ（Read only Memory）、及びＲＡＭ（Random Access Memory）（以下、ＲＯＭとＲＡＭとの総称として記憶部と記載する）等を備える。ＲＯＭは、動作プログラムを記憶し、ＣＰＵは、その動作プログラムに従って光ディスク再生装置１全体を制御し、ＲＡＭは、ＣＰＵのワークエリアとして機能する。制御部５０は、ピックアップ１２と時間監視部４０と搬送モータ２１とに接続され、それらを制御する。また、制御部５０は、スイッチ監視部３０から第１のスイッチ１６、及び第２のスイッチ１７の状態を受信する。
【００２７】
時間監視部４０は、第１のスイッチ１６がオフからオンになった時点からの経過時間を計測する。そして、予め設定された時間が経過すると、時間監視部４０は所定時間経過したことを制御部５０に伝える。
【００２８】
スイッチ監視部３０は、第１のスイッチ１６、及び第２のスイッチ１７のオン／オフ状態を監視し、それぞれのスイッチの状態を制御部５０に伝える。
【００２９】
搬送モータ２１と搬送ローラ２２とは、挿入された光ディスク２０を筐体１０内の所定位置まで搬送する搬送装置を構成する。制御部５０は、搬送モータ２１を駆動し、搬送モータ２１に接続された搬送ローラ２２を作動する。また、伝動ピニオン１８も搬送モータにより駆動される。
【００３０】
以下、本発明の実施形態に係る光ディスク再生装置１の具体的な動作について、主に図５に示したフローチャートを参照して説明する。
【００３１】
先ず、制御部５０は、光ディスク挿入口１０ａから光ディスク２０が挿入されたかどうか判断する（ステップＳ１）。具体的には、図２（ｂ）に示すように、筐体１０内に挿入された光ディスク２０により、光ディスク検出アーム１１が押し広げられて第１のスイッチ１６がオフからオンになると、スイッチ監視部３０は第１のスイッチ１６がオンされたことを制御部５０に伝える。制御部５０は、第１のスイッチ１６がオフからオンになったとスイッチ監視部３０から受信すると、光ディスク２０が挿入されたと判断する。
【００３２】
次に、ステップＳ１において、光ディスク２０が光ディスク挿入口１０ａから挿入されたと判断すると（ステップＳ１：Ｙｅｓ）、制御部５０は、搬送モータ２１に搬送ローラ２２と伝動ピニオン１８とを作動させる（ステップＳ２）。同時に制御部５０は、時間監視部４０に光ディスク２０が筐体１０に挿入されたことを伝える。そして時間監視部４０は、光ディスク２０が挿入された時点からの時間を計測する。
【００３３】
続いて、制御部５０は、予め設定された時間内に第２のスイッチ１７がオンになったか判断する（ステップＳ３）。具体的に説明すると、時間監視部４０は、光ディスク２０が挿入された時点から予め設定された時間が経過すると、制御部５０にその旨を通知する。制御部５０は、この時間監視部４０からの通知がある前に、スイッチ監視部３０から第２のスイッチ１７がオフからオンになったとの通知を受けると、所定時間内に第２のスイッチ１７がオンになったと判断する。
【００３４】
ステップＳ３において、所定時間内に第２のスイッチ１７がオフ状態からオンになったと判断すると（ステップＳ３：Ｙｅｓ）、制御部５０は光ディスク２０が正常な位置にあると判断して（ステップＳ４）、光ディスク検出処理を終了する。
【００３５】
ステップＳ３において、所定時間内に第２のスイッチ１７がオフの状態からオンにならなかったと判断すると（ステップＳ３：Ｎｏ）、制御部５０は、第１のスイッチ１６及び第２のスイッチ１７が、光ディスク２０が挿入されていない場合と同じ状態であるか判断する（ステップＳ５）。つまり制御部５０は、第１のスイッチ１６及び第２のスイッチ１７がオフの状態であるか判断する。
【００３６】
ステップＳ５において、各スイッチの状態が光ディスク２０が挿入されていない状態と同じであると判断すると（ステップＳ５：Ｙｅｓ）、制御部５０は、ピックアップ１２からレーザ光を照射する（ステップＳ６）。
【００３７】
ステップＳ６において、出射したレーザ光で光ディスク２０を検知できないと（ステップＳ７：Ｎｏ）、制御部５０は、光ディスク再生装置１内に光ディスク２０がないと判断して（ステップＳ８）、光ディスク検出処理を終了する。
【００３８】
ステップＳ６で出射したレーザ光が光ディスク２０の記録面で反射し、その反射した光をピックアップ１２が受光すると（ステップＳ７：Ｙｅｓ）、制御部５０は、光ディスク２０の挿入が異常であると判断する（ステップＳ９）。
【００３９】
光ディスク２０の挿入に異常があると判断すると（ステップＳ９）、制御部５０は搬送モータ２１に指示を出し、光ディスク２０の排出処理を行なう（ステップＳ１０）。そして制御部５０は、光ディスク検出処理を終了する。
【００４０】
ステップＳ５において、各スイッチの状態が光ディスク２０が挿入されていない場合と異なると判断すると（ステップＳ５：Ｎｏ）、制御部５０はステップをステップＳ９に進める。
【００４１】
上述した実施形態では、光ディスク２０の挿入に異常があると判断した場合に光ディスク２０の排出を行なったが、図示しない表示装置に異常を表示するようにしてもよい。
【００４２】
また、上述した実施形態では、光ディスク２０の挿入時に着目して、光ディスク再生装置１の動作について説明した。その他、想定される場合として、例えば、光ディスク再生装置１の起動時に、ピックアップ１２からレーザ光を出射して、光ディスク２０の有無を確認してもよい。
【００４３】
以上のように、本発明の実施形態に係る光ディスク再生装置１を用いることで、次に示す効果を奏する。
（１）機械式のスイッチの切り替えが正常に行なわれず、スイッチのオン／オフだけでは光ディスク再生装置１内の光ディスク２０の有無が判断できない場合でも、ピックアップ１２からレーザ光を出射して光ディスク２０を検知するようにすることができる。これにより、光ディスク再生装置１内の光ディスク２０の有無を確実に把握することができ、光ディスク再生装置１の誤動作を防ぐことができる。
（２）また、ピックアップ１２は想定される車内の温度変化にも適応可能であり、本実施形態に係る光ディスク再生装置１は、通常の使用条件下で誤動作を生じる可能性が少ない。
（３）また、ピックアップ１２は、通常の光ディスク再生装置に装備されているため、光ディスク再生装置１内の光ディスク２０の有無を把握するための新たな検出装置を設置する必要がない。そのため、従来の光ディスク再生装置の構成をそのまま利用して、本発明の実施形態に係る光ディスク再生装置１を提供することができる。
【図面の簡単な説明】
【００４４】
【図１】本発明の実施形態に係る光ディスク再生装置の斜視図。
【図２】（ａ）〜（ｄ）は、本発明の実施形態に係る光ディスク再生装置に光ディスクが挿入された際の各部の動きを示した動作順序図。
【図３】本発明の実施形態に係る光ディスク再生装置の制御系の構成図。
【図４】各スイッチのオン／オフの状態を示した図。
【図５】本発明の実施形態に係る光ディスク再生装置の光ディスク検出処理を示したフロー図。
【符号の説明】
【００４５】
１      光ディスク再生装置
１０      筐体
１１      光ディスク検出アーム
１２      ピックアップ
１３      回転駆動部
１４      クランプアーム
１５      ロック部
１６      第１のスイッチ
１７      第２のスイッチ
１８      伝動ピニオン
２０      光ディスク
２１      搬送モータ
２２      搬送ローラ
３０      スイッチ監視部
４０      時間監視部
５０      制御部
【図１】
2010061737.tif 000003
【図２】
2010061737.tif 000004
【図３】
2010061737.tif 000005
【図４】
2010061737.tif 000006
【図５】
2010061737.tif 000007